(57)【要約】  【課題】ルーフ開時に、アイドルストップによるエンジンの自動停止を行う機会を増大させつつ、乗員の空調ニーズをも満足させる。  【解決手段】ブロアファン４を駆動することにより、空調風がエバポレータ５を通過した後に車室内に吹き出される。ルーフ開時には、ルーフ閉時に比して、アイドルストップ条件が緩和されて（エンジンが自動停止されやすくされて）、燃費向上が図られる。ルーフ開時でのアイドルストップによるエンジン自動停止時には、外気温度が所定温度以上のときあるいは日射が所定度合いよりも大きいときに、ブロアファンが駆動されて、扇風機の形態で乗員に空調風が吹き出される。エンジンの自動停止直後は、空調風が通過するエバポレータが十分に冷たいので、風量を低下させた状態で、冷風となった空調風を極力長い時間吹き出させるようにするのが好ましい。【選択図】  図８
2015186961.tif 000002
【特許請求の範囲】
【請求項１】
ルーフが開閉可能とされた車両における車両用空調制御装置であって、
車両停止を含む所定のアイドルストップ条件が成立したときに、エンジンを自動的に停止させるアイドルストップ制御手段と、
風量調整用のブロアファンとエンジンを駆動源として冷却される空調用のエバポレータとを備えた空調装置と、
を備え、
前記アイドルストップ制御手段は、ルーフ開時はルーフ閉時に比して、アイドルストップが実行されやすくなるように前記アイドルストップ条件を緩和するように制御し、
前記空調装置を制御する空調制御手段が、ルーフ開時でかつアイドルストップによりエンジンが自動停止されているときは、外気温度が所定温度以上のときまたは日射の強さが所定度合いよりも大きいときに、ブロアファンを駆動して空調風を乗員に向けて吹き出すように制御する、
ことを特徴とする車両用空調制御装置。
【請求項２】
請求項１において、
前記空調制御手段は、アイドルストップによりエンジンが自動停止されてから所定時間内は、前記ブロアファンによる空調風が前記エバポレータを通過するようにかつエンジン自動停止直前の風量よりも小さい第１風量となるように制御する、ことを特徴とする車両用空調制御装置。
【請求項３】
請求項２において、
前記空調制御手段は、アイドルストップによりエンジンが自動停止されてから前記所定経過後は、前記第１風量よりも大きい第２風量となるように制御する、ことを特徴とする車両用空調制御装置。
【請求項４】
請求項３において、
前記第２風量が、アイドルストップによりエンジンが自動停止される直前の風量よりも大きくされる、ことを特徴とする車両用空調制御装置。
【請求項５】
請求項１ないし請求項４のいずれか１項において、
前記空調制御手段は、アイドルストップによってエンジンが自動停止されているときの空調風の風量を、外気温度と日射の強さとの少なくとも一方に応じて変更する、車両用空調制御装置。
【発明の詳細な説明】
【技術分野】
【０００１】
本発明は、車両用空調制御装置に関するものである。
【背景技術】
【０００２】
車両用空調制御装置にあっては、コンプレッサ、コンデンサおよびエバポレータを含む冷風生成器と、エンジン冷却水を熱源とする温風生成器とを有して、冷風と温風との混合比率をエアミックスダンパによって変更して、所望温度の空調風を得るようにしている。そして、空調風は、ブロアファンによって車室内に送風されることになり、ブロアファンの回転数変更によって送風量が変更される。上記コンプレッサは、エンジンにより駆動され、また冷却水の循環を行うウオータポンプもエンジンにより駆動されるのが一般的である。したがって、エンジンが停止したときには、コンプレッサおよびウオータポンプが停止されて、冷風生成機能および温風生成機能が停止されることになる。
【０００３】
また、車両用空調制御装置にあっては、目標室内温度となるように実際の室内温度を自動制御するオートエアコンが主流となっている。空調の自動制御は、車室内の環境条件、車室外の環境条件、乗員による空調操作状態（特に目標室内温度の設定）を表すパラメータに応じて行われて、空調吹出温度、空調風の吹き出し口、空調風の吹出量等が自動設定されることになる。
【０００４】
一方、最近の車両では、燃費向上のために、車両停止時や停止直前の極低速時にエンジンを自動停止させるいわゆるアイドルストップを行うものが多くなっている。このアイドルストップは、あらかじめ設定された開始条件が成立しているを条件に実行され、この開始条件としては、例えば、車速が零であること（車両停止であること）、ブレーキ操作されていること、アクセル操作されていないこと、変速機がＤ位置にある等の全ての条件を満足するものとして設定されることが一般的である。
【０００５】
一方、オープンカーで代表されるルーフを開閉可能とした車両において、特許文献１に示すように、ルーフ開時とルーフ閉時とで空調モードを変更することが開示されている。すなわち、ルーフ閉時には、目標吹出温度に基づいた内外気モードにする一方、ルーフ開時には、目標吹出温度にかかわらず強制的に内気モードに変更することが開示されている。
この特許文献１にものでは、ルーフ開時に内気モードとすることにより、空調ユニットの吹出開口部からの吹出風量を車速に関係なく一定にすることを意図したものとなっている。
【先行技術文献】
【特許文献】
【０００６】
【特許文献１】特開２００１−８８５３７号公報
【発明の概要】
【発明が解決しようとする課題】
【０００７】
ところで、外気にふれつつ走行を楽しむ状況となるルーフ開時での空調ニーズは、ルーフ閉時に比して相対的に低いものとなる。一方、アイドルストップによるエンジンの自動停止の条件をルーフ閉時とルーフ開時と同一に設定したままでは、空調ニーズの低いルーフ開時において、アイドルストップによってエンジンを自動停止する機会が少なくなってしまうことになる。このため、アイドルストップ条件を、ルーフ開時はルーフ閉時に比して緩和して、エンジンが自動停止される機会を増大することが考えられる。
【０００８】
上述のように、ルーフ開時にアイドルストップ条件を緩和することは、燃費向上の上では好ましいものとなる。その反面、アイドルストップによるエンジンの自動停止に起因して空調装置の作動を停止すると、外気温度が高かったり日射が強いときに、ルーフが開かれているが故に、乗員は外気温度や日射の影響を受けやすくなって不快感を感じやすいものとなる（乗員の空調ニーズに応えられないものとなりやすい）。
【０００９】
本発明は以上のような事情を勘案してなされたもので、その目的は、ルーフ開時において、アイドルストップによるエンジンの自動停止の機会を増大させつつ、乗員の空調ニーズにも十分応えることのできるようにした車両用空調制御装置を提供することにある。
【課題を解決するための手段】
【００１０】
前記目的を達成するため、本発明にあっては、次のような解決手法を採択してある。すなわち、請求項１に記載のように、
ルーフが開閉可能とされた車両における車両用空調制御装置であって、
車両停止を含む所定のアイドルストップ条件が成立したときに、エンジンを自動的に停止させるアイドルストップ制御手段と、
風量調整用のブロアファンとエンジンを駆動源として冷却される空調用のエバポレータとを備えた空調装置と、
を備え、
前記アイドルストップ制御手段は、ルーフ開時はルーフ閉時に比して、アイドルストップが実行されやすくなるように前記アイドルストップ条件を緩和するように制御し、
前記空調装置を制御する空調制御手段が、ルーフ開時でかつアイドルストップによりエンジンが自動停止されているときは、外気温度が所定温度以上のときまたは日射の強さが所定度合いよりも大きいときに、ブロアファンを駆動して空調風を乗員に向けて吹き出すように制御する、
ことを特徴とする車両用空調制御装置。
【００１１】
上記解決手法によれば、乗員の空調ニーズが相対的に低くなるルーフ開時には、ルーフ閉時に比してアイドルストップ条件を緩和することにより、アイドルストップによるエンジンが自動停止される機会を増大させて、燃費向上を図ることができる。また、乗員が外気温度や直射日光の影響を受けやすいルーフ開時には、外気温度が所定温度以上のときまたは日射の強さが所定度合いよりも大きいときに、ブロアファンを駆動して空調風を乗員に向けて吹き出すようにしてあるので、つまり空調装置が一種の扇風機として機能されるようにして、乗員が不快感を感じてしまうことを適切に防止できる。
【００１２】
上記解決手法を前提とした好ましい態様は、特許請求の範囲における請求項２以下に記載のとおりである。すなわち、
前記空調制御手段は、アイドルストップによりエンジンが自動停止されてから所定時間内は、前記ブロアファンによる空調風が前記エバポレータを通過するようにかつエンジン自動停止直前の風量よりも小さい第１風量となるように制御する、ようにしてある（請求項２対応）。この場合、エンジンが自動停止された直後もしばらくの間はエバポレータが十分に冷えている状態なので、この十分に冷えているエバポレータを通過した空調風が吹き出るようにして、乗員が不快感を感じてしまう事態をより一層適切に防止することができる。また、エンジン自動停止中の風量を、自動停止直前の風量よりも小さくすることにより、極力長い時間に渡って冷風を吹き出せることができる。
【００１３】
前記空調制御手段は、アイドルストップによりエンジンが自動停止されてから前記所定経過後は、前記第１風量よりも大きい第２風量となるように制御する、ようにしてある（請求項３対応）。この場合、エバポレータが十分に冷えていない状況となったときは、風量を十分に大きくして、乗員の不快感を防止することができる。
【００１４】
前記第２風量が、アイドルストップによりエンジンが自動停止される直前の風量よりも大きくされる、ようにしてある（請求項４対応）。この場合、請求項３に対応した効果をより一層十分に発揮させる上で好ましいものとなる。
【００１５】
前記空調制御手段は、アイドルストップによってエンジンが自動停止されているときの空調風の風量を、外気温度と日射の強さとの少なくとも一方に応じて変更する、ようにしてある（請求項５対応）。この場合、風量を、乗員の不快感防止のためにより適切な大きさに設定する上で好ましいものとなる。
【発明の効果】
【００１６】
本発明によれば、アイドルストップによるエンジン自動停止の機会を増大させて燃費向上を図りつつ、エンジン自動停止時における乗員の不快感をも防止することができる。
【図面の簡単な説明】
【００１７】
【図１】ルーフ開閉式の車両について、ルーフが閉じられたときの状態を示す図。
【図２】図１の状態からルーフを開いたとき状態を示す図。
【図３】空調システムの一例を示す系統図。
【図４】冷風生成器と温風生成器との一例を示す図。
【図５】空調の操作パネル部分の一例を示す図。
【図６】空調システムの制御系統例を示す図。
【図７】エンジン自動停止の制御系統例を示す図。
【図８】ルーフ開時における空調制御例を示すタイムチャート。
【図９】ルーフ開時における空調制御例を示すフローチャート。
【図１０】外気温度に応じた目標風量の設定例を示す特性図。
【図１１】日射量に応じた目標風量の設定例を示す特性図。
【発明を実施するための形態】
【００１８】
図１は、ルーフ開閉式とされた車両Ｖを示し、図１では、ルーフＲが閉じられているルーフ閉時の状態が示される。また、図２は、図１の状態からルーフＲが開かれたルーフ開時が示される。
【００１９】
図３は、空調システムＫにおける通路構成例を示すものである。空調システムＫは、既知のものなので簡単に説明すると、流入口１を有する通路部２には、その上流側（流入口１）から下流側に向かって順次、切換ダンパ３、ブロアファン４、エバポレータ５が配設されている。通路部２のうちエバポレータ５の下流側部分が、隔壁６によって互いに並列に２つの独立通路７、８に区画され、この独立通路７、８の下流側は互いに合流された共通室９とされている。
【００２０】
前記隔壁６には、２つの独立通路７、８に突出するようにして、ヒータコア１０が保持されている。独立通路７には、ヒータコア１０の直上流側においてエアミックスダンパ１１が配設されている。同様に、独立通路８には、ヒータコア１０の直上流側においてエアミックスダンパ１２が配設されている。通路部２には、前記共通室９よりも上流側の独立通路７に臨ませて運転席用のエア通路１３が開口されている。また、通路部２には、前記共通室９よりも上流側の独立通路８に臨ませて助手席用のエア通路１４が開口されている。さらに、共通室９に臨ませて、複数のエア通路１５〜１７が開口されている。エア通路１５は例えばデフロスタ用とされ、エア通路１６、１７は例えばサイドベント用とされている。各エア通路１３〜１７には、開度調整用のダンパ１３Ａ〜１７Ａが配設されている。
【００２１】
エアミックスダンパ１１の開度（位置）変更により、エバポレータ５を通過した冷却エアがヒータコア１０を経由する割合が変更されて、独立通路７を通過した直後のエアの温度および湿度が調整される。この独立通路７を通過した直後のエアが、運転席に供給されることになる。なお、エアミックスダンパ１１は、電気式のモータ（アクチュエータ）１１Ａによって駆動されて、開度０％〜１００％の範囲で任意の開度をとり得るようになっている。
【００２２】
エアミックスダンパ１２の開度（位置）変更により、エバポレータ５を通過した冷却エアがヒータコア１０を経由する割合が変更されて、独立通路８を通過した後のエアの温度および湿度が調整される。この独立通路８を通過した直後のエアが、助手席に供給されることになる。なお、エアミックスダンパ１２は、電気式のモータ（アクチュエータ）１２Ａによって駆動されて、開度０％〜１００％の範囲で任意の開度をとり得るようになっている。
【００２３】
前述の説明から明らかなように、実施形態では、運転席用と助手席用との空調が個別に制御可能となっている。そして、エアミックスダンパ１１、１２の開度を図中実線で示す１００％としたときに、運転席および助手席に対する空調温度がもっとも高くされる。逆に、エアミックスダンパ１１、１２の開度を図中破線で示す０％としたときに、運転席および助手席に対する空調温度がもっとも低くされる。なお、エア通路１５〜１７へは、独立通路７と８とを通過した空調エアが混合された混合エアが供給されることになる。
【００２４】
１８は、流入口１近傍に設けられた内気導入口であり、前述した切換ダンパ１により外気導入と内気循環とが切換えられる。
【００２５】
図４は、エバポレータ５に対する冷媒の循環経路と、ヒータコア１０に対するエンジン冷却水の循環経路を示すものである。この図４において、コンプレッサ５０の回転軸に取付けたプーリ５１と、エンジンＥＧ（のクランク軸）に取付けたプーリ５２との間にベルト５３が巻回されて、エンジンＥＧによってコンプレッサ５０が回転駆動される。コンプレッサ５０によって圧縮された冷媒が、配管５４、コンデンサ５５、配管５６を経てエバポレータ５に供給される。エバポレータ５に供給された冷媒は、空調風と熱交換された後に、配管５７を経てコンプレッサ５０に戻される。上記コンプレッサ５０、コンデンサ５５、エバポレータ５が、冷風生成器の主要構成要素となる。なお、プーリ５１にはクラッチ５１Ａが組み込まれて、エンジンＥＧが作動しているときでも、適宜コンプレッサ５０の駆動を停止可能とされている。
【００２６】
一方、エンジンＥＧによって駆動されるウオータポンプ６０からの冷却水は、配管６１を経てヒータコア１０に供給されて、ヒータコア１０によって空調風と熱交換される。そして、ヒータコア１０内の冷却水は、配管６２を経てウオータポンプ６０へ戻される。このウオータポンプ６０とヒータコア１０とが、温風生成器の主要構成要素となる。
【００２７】
図５は、乗員により操作される空調用パネル部ＫＰの一例を示すものであり、インストルメントパネルにセットされている。実施形態では、運転席と助手席とで左右独立して温度制御するものに対応しており、乗員により操作されるスイッチとして、次のように設定されている。
【００２８】
まず、スイッチ２１は、オートエアコンをＯＮするメインスイッチであり、プッシュ式とされている。スイッチ２２は、運転席の温度設定スイッチであり、ダイアル式とされている。スイッチ２３は、オートエアコンのＯＦＦスイッチであり、プッシュ式とされている。スイッチ２４は、風量調整用スイッチであり、ダイアル式とされている。スイッチ２５は、助手席用の温度を個別に選択する際に操作されるもので、プッシュ式とされている。スイッチ２６は、助手席用の温度調整用であり、ダイアル式とされている。
【００２９】
スイッチ３１は、エアコンをＯＦＦするスイッチである。スイッチ３２は、フロントデフロスタ作動用のスイッチである。スイッチ３３は、リアデフロスタ作動用スイッチである。スイッチ３４、３５は、空調風の吹出口選択用スイッチである。スイッチ３６は、外気導入選択用のスイッチである。スイッチ３７は、内気循環選択用のスイッチである。各スイッチ３１〜３７は、それぞれプッシュ式とされている。
【００３０】
図６は、空調システムＫの制御系統例が示される。この図６中、ＵＫは、マイクロコンピュータを利用して構成された空調システム用のコントローラ（制御ユニット）である。このコントローラＵＫには、前述した各種スイッチからの信号が入力される他、温度センサＳ０で検出されたヒータコア１０の温度、外気温センサＳ１で検出された外気温度、内気温センサＳ２で検出された室内温度、日射センサＳ３で検出された車室内への日射状態、温度センサＳ４で検出されたエバポレータ８の温度に関する信号、エアミックスダンパ１１、１２の実際の開度を検出する開度センサ１１Ｂ、１２Ｂからの信号が入力される。また、コントローラＵＫは、前述した各ダンパ等の機器類１、４、１１（１１Ａ）、１２（１２Ａ）、１３Ａ〜１７Ａ、１８の他、エンジンと冷媒圧縮用コンプレッサとの動力伝達経路に介在されたコンプレッサクラッチ５１Ａ（図４をも参照）を制御するようになっている。コントローラＵＫと、上記センサ、スイッチ、機器類とは、低速通信系でもって接続されている。
【００３１】
コントローラＵＫは、基本的に、各種センサＳ０〜Ｓ４で検出される車内外の環境条件と乗員によるスイッチ操作状態に応じて、目標室内温度を設定すると共に、実際の室内温度が目標室内温度にするのに最適な空調風吹出量、空調エア温度、空調風の吹出口の選択等を自動制御する。
【００３２】
低速通信系となるコントローラＵＫは、インストルメントパネルに設けたメータを介して、高速通信系（ＣＡＮ）に対して接続されている。この高速通信系には、エンジン自動停止と自動再始動を含むエンジン制御を行うＰＣＭ、自動変速機の変速制御等を行うＴＣＭ、エンジン自動停止時の自動ブレーキ制御を含むブレーキ制御を行うＤＳＣ、ドアの開閉状態の検出を含む車体回りの制御を行うＢＣＭ、キーの車内置き忘れの検出を含むスマートキーレスに関する制御を行うキーレスコントロールモジュール（ＳＫＥで表示）、パワーステアリング制御を行うＥＨＰＡＳが含まれる。コントローラＵＫには、ＰＣＭからアイドリングストップ状態に関する情報が入力される一方、コントローラＵＫからＰＣＭに対して、後述するように、空調制御状態に応じてアイドリングストップの許可信号または禁止信号を出力するようになっている。また、ＤＳＣには車速センサＳ１０が接続されており、車速センサＳ１０で検出された車速信号は、ＣＡＮを経由してコントローラＵＫおよびＰＣＭに入力される。
【００３３】
図７は、アイドリングストップに関する制御を行うＰＣＭに関する詳細な制御系統例を示すものである。この図７において、ＰＣＭには、各種センサあるいはスイッチＳ１０〜Ｓ１９からの信号が入力される。センサＳ１１は、アクセル開度を検出するアクセルセンサである。センサＳ１２は、スロットル開度を検出するスロットルセンサである。センサＳ１３は、クランクシャフトの回転角度位置を検出する角度センサである。センサＳ１４は、吸気温度を検出する吸気温センサである。センサＳ１４は、冷却水温を検出する水温センサである。センサＳ１６は、負圧式倍力装置を有するブレーキ装置における負圧を検出する負圧センサである。スイッチＳ１７は、ブレーキペダルが踏み込み操作されていることを検出するブレーキスイッチであり（ストップライトスイッチと兼用）。センサＳ１８は、自動変速機のレンジ位置を検出するレンジ位置センサである。Ｓ１９は、バッテリの充電量、電圧、消費電流等を総合的に検出するバッテリセンサである。
【００３４】
ＰＣＭは、エンジンの自動停止（アイドルストップ）と自動再始動の制御に関連して、次のような各種機器類４１〜４７を制御するようになっている。すなわち、４１は、スロットルバルブを駆動するアクチュエータであり、エンジン自動停止時に全閉とされる。４２は、電動式の可変バルブタイミング装置における駆動モータであり、エンジン自動停止時に、自動再始動に備えて吸気弁の開閉タイミングを遅らせる。４３は、燃料噴射弁であり、エンジン自動停止の際に燃料噴射がカットされる。４４はイグニッションコイルであり、エンジン自動停止時には通電が停止されて点火が禁止される。４５はスタータモータであり、エンジン自動再始動時に駆動される。４６は、オルタネータであり、エンジン自動停止時に、オルタネータの負荷を上げることによりエンジン回転数を下げる。４７は、ＤＣ／ＤＣコンバータであり、エンジン自動再始動時のためにクランキングを行う際に、バッテリの電力低下を補うように制御される。なお、ＰＣＭには、ルーフＲの開閉を検出する（開状態と閉状態とを識別する）スイッチＳ２０からの信号が入力される。
【００３５】
車両停止時にエンジンを自動停止するアイドルストップが行われるが、これは、後述するアイドルストップ禁止条件の１つでも成立していないことを条件に実行される。
【００３６】
自動停止禁止条件（アイドルストップ禁止条件）
（１）車速が０でないとき。
（２）乗員によるブレーキ操作が行われていないとき。
（３）アクセルペダルが踏み込み操作されているとき。
（４）バッテリに関連して、電圧が所定電圧以下の低電圧のとき、充電量があらかじめ設定された所定充電量以下のとき、消費電流があらかじめ設定された所定電流以上のとき、あるいはバッテリ制御システムが異常のとき（異常信号発生のとき）。
（５）ハンドル舵角がニュートラル位置から所定の小舵角範囲内にないとき。
（６）変速機に関連して、変速機がＤレンジ位置にないとき、油温が所定温度範囲内にないとき、油圧が所定圧力範囲内にないとき、変速機異常信号が発生されているとき、クラッチ（ロックアップクラッチを含む）に異常があるとき。
（７）エンジンに関連して、冷却水温度が所定温度範囲にないとき、吸気温度が高すぎるとき、大気圧が低いとき。
（８）負圧式倍力装置を含むブレーキ装置でのブレーキ負圧が不足するとき、あるいはエンジンシステムの異常信号が発生されたとき。
（９）車体回りに関連して、イグニッションキーが車外に持ち出されているとき（スマートキーレスエントリーシステムの場合）、シートベルトが取外されているとき、いずれかのドアが開いているとき、あるいはボンネットが開いているとき。
（１０）路面の傾斜角度が大きいとき。
（１１）空調用コントローラＵＫから自動停止禁止信号が出力されているとき。この点については、後に詳述する。
【００３７】
上述の自動停止禁止条件はあくまで一例を示すものであり、その他の禁止条件を付加してもよい。例えば、エンジン自動停止を運転者の意思によってキャンセル（禁止）するＩＳスイッチＳ５がＯＮされているとき、エンジン回転数があらかじめ設定された回転数（安定したときのアイドル回転数よりもかなり高い回転数）以上の高回転であるととき、等の条件をさらに追加してもよい。逆に、上記禁止条件の一部を削除した設定とすることもできる。
【００３８】
エンジンを自動停止しているアイドルストップ状態からエンジンを自動再始動する自動再始動開始条件としては、上記自動停止禁止条件のいずれか１つが解除されたときとして設定することができるが、特に、少なくとも乗員によるブレーキ操作が解除されたときを自動再始動の条件として設定するのが好ましい。
【００３９】
次に、空調システムＫに関連した自動停止禁止条件について説明する。まず、空調の自動制御は、内気温センサＳ２で検出される実際の室内温度が、乗員により選択された温度調整ダイアル２２、２６に基づいて設定される目標室内温度に近づくように制御される。この空調自動制御に際しては、空調風の温度、吹出口の選択、空調風吹出量等が自動制御されることになる。
【００４０】
空調用のコントローラＵＫは、次の場合に、空調を優先すべく、車両停止時におけるエンジンの自動停止を禁止する禁止信号を出力する。なお、空調用コントローラＵＫは、自動停止禁止信号を出力しないときは、自動停止許可信号を出力する。
【００４１】
空調システム側からの自動停止禁止条件
（１）空調システムＫにおける各種センサ等の異常が発生したとき。
（２）外気温度が、極めて高いとき（例えば４０度Ｃ以上）、または極めて低いとき（例えば−１０度Ｃ以下）。
（３）デフロスタを使用しているとき（視界確保を優先）。
（４）乗員により選択された室内温度が、高温側の上限値であるとき（暖房要求が極めて強いとき）。
（５）乗員により選択された室内温度が、低温側の下限値でありかつエアコン作動されているとき（冷房要求が極めて強いとき）。
（６）目標室内温度と実際の室内温度との偏差が所定値よりも大きいとき。
【００４２】
空調用コントローラＵＫは、上記自動停止禁止条件が成立しないときは、エンジン自動停止時であっても、空調制御を行う。
【００４３】
コントローラＵＫは、ルーフ開時には、ルーフ閉時に比して、アイドルストップによるエンジンの自動停止の機会を増大させるべく、空調側からのアイドルストップ条件を緩和する。この緩和の条件としては、上記（１）〜（６）の条件のうち、適宜の１つあるいは複数の条件が削除される。例えば、上記（３）、（６）の条件が削除される。このように、アイドルストップ条件を緩和することにより、ルーフ開時は、ルーフ閉時に比して、アイドルストップによりエンジンが自動停止される機会が増大されて、その分燃費向上となる。
【００４４】
ルーフ開時に、アイドルストップによりエンジンが自動停止されたときに実行される空調制御例について、図８のタイムチャートを参照しつつ説明する。なお、図８のタイムチャートは、外気温度が所定温度以上の高温時あるいは日射の強さが所定度合いよりも大きいときに行われる空調制御で、ブロアファン４を駆動することにより、乗員に対して空調風を吹き出すようにしたものである（エンジン自動停止であることから、エバポレータ５そのものを冷却する機能はなし）。
【００４５】
まず、ｔ１時点より前の時点では、エンジンが駆動されていて、ブロアファン４による風量（空調風の風量）が、モードＡに対応した風量（目標温度に応じて設定される風量）とされる。このとき、エバポレータ５は、十分に冷えている状態となる。
【００４６】
ｔ１時点が、アイドルストップによるエンジンの自動停止が行われたときである。このときは、ブロアファン４への印加電圧が低下されて、モードＢでの風量とされる。このモードＢでの風量が第１風量で、モードＡのときの風量よりも小さい風量とされる。エンジン自動停止直後は、エバポレータ５が十分に冷えているため、空調風はエバポレータ５を通過した際に冷却されて、乗員への空調風は冷風とされて、乗員の不快感が防止される。また、風量が低下されているために、冷風を極力長い時間吹き出させることが可能になる。
【００４７】
ｔ時点から所定時間経過したｔ２時点では、エバポレータ５の温度がかなり上昇して高くなったときとなる。このときは、ブロアファン４による風量が、モードＣの風量（第２風量）とされて、モードＢあるいはモードＡのときの風量よりも大きな風量とされる。エバポレータ５の温度が高くなって十分な冷風が得られない状況において、風量を十分に大きくすることにより、乗員の不快感を防止することができる。
【００４８】
ｔ３時点になると、例えばブレーキペダルの踏み込み操作が開放されたりあるいはアクセルペダルが踏み込み操作されて、エンジンが自動再始動される。このｔ３時点以降は、ブロアファン４の風量は、エンジンの自動停止直前の風量となるＡモードでの風量に復帰される。
【００４９】
図８は、ルーフ開時における空調制御例を示すフローチャートであり、以下このフローチャートについて説明する。なお、以下の説明で、Ｑはステップである。
【００５０】
まず、Ｑ１において、各種センサ等からの信号が読み込まれた後、Ｑ２において、図２に示すようなルーフ開時であるか否かが判別される。このＱ２の判別でＮＯのときは、Ｑ３において、ブロアファン４が通常通りの制御態様でもって制御される（モードＡの風量）。
【００５１】
Ｑ２の判別でＹＥＳのときは、Ｑ４において、ルーフ開時でのアイドルストップ条件を満足しているか否かが判別される（前述のとおり、ルーフ開時でのアイドルストップ条件は、ルーフ閉時に比して緩和されている）。このＱ４の判別でＮＯのときは、Ｑ５において、アイドルストップによるエンジン自動停止を禁止する信号を出力した後、Ｑ３に移行される。
【００５２】
Ｑ４の判別でＹＥＳのときは、Ｑ６において、アイドルストップによるエンジン自動停止の許可信号を出力する。この後、Ｑ７において、実際にエンジンが自動停止されたか否かが判別される。このＱ７の判別でＮＯのときは、Ｑ３に移行される。
【００５３】
Ｑ７の判別でＹＥＳのときは、Ｑ８において、外気温度があらかじめ設定された所定温度（例えば３２℃）以上であるか否かが判別される。このＱ８の判別でＮＯのときは、Ｑ１５に移行して、ブロアファン４による風量がモードＢの小さい風量とされる。
【００５４】
上記Ｑ８の判別でＹＥＳのときは、Ｑ９において、日射の強さがあらかじめ設定された所定度合い以上であるか否かが判別される。より具体的には、日射量が、例えば５００Ｗ／ｍ２以上であるか否かが判別される。このＱ９の判別でＮＯのときは、Ｑ１５に移行される。
【００５５】
上記Ｑ９の判別でＹＥＳのときは、Ｑ１０において、エバポレータ５の温度が所定温度（例えば１２℃）以上であるか否かが判別される。このＱ１０の判別でＮＯのときは、Ｑ１５へ移行される。
【００５６】
上記Ｑ１０の判別でＹＥＳのとき、つまりエバポレータ５がまた十分に冷えていると考えられるときは、Ｑ１１において、乗員により設定される温度が下限の冷たい温度でありかつエアコンＯＮ（エアコン作動を要求）であるか否かが判別される。このＱ１１の判別でＮＯのときは、Ｑ１２において、乗員により、温度設定ダイアルが低い温度側へ操作されたか否かが判別される。このＱ１２の判別でＮＯのときは、Ｑ１３において、アイドルストップによるエンジン自動停止の許可信号を出力すると共に、ブロアファン４の風量がモードＣの大きな風量（第２風量）とされる。
【００５７】
上記Ｑ１１の判別でＹＥＳのとき、あるいはＱ１２の判別でＹＥＳのときは、それぞれ、Ｑ１４に移行して、アイドルストップによるエンジン自動停止を禁止する信号が出力される。
【００５８】
ここで、ブロアファン４による風量の設定例について、図９、図１０参照しつつ説明する。なお、図９、図１０では、目標風量を、ブロアファン４に対する電圧の大きさで示してある。まず、図９に示すように、外気温度が高いほど、目標風量が大きく設定される（上限値、下限値あり）。また、図１０に示すように、日射量が大きいほど、目標風量が大きく設定される（上限値、下限値あり）。最終的な目標風量は、図９、図１０に基づいて設定された各目標風量を加算することにより行われる。なお、外気温度と日射量とに応じた各目標風量に重み付けをして、加算するようにしてもよい。
【００５９】
以上実施形態について説明したが、本発明は、実施形態に限定されるものではなく、特許請求の範囲の記載された範囲において適宜の変更が可能であり、例えば次のような場合をも含むものである。風量をモードＢでの風量とする条件を、アイドルストップによるエンジン自動停止開始からある一定の所定時間経過するまでの範囲に設定することもでき、この所定時間をエバポレータ温度に基づいて変更することもできる。そして、上記所定時間経過後は、モードＣでの大きな風量とすればよい。なお、モードＣでの風量を、モードＡでの風量とすることもでき、あるいはモードＡの風量とモードＢの風量との間の範囲の風量とすることもできる。
【００６０】
ルーフ開時でのエンジン自動停止時において、外気温度が所定温度以上のときあるいは日射が所定度合い以上のときの少なくとも一方を満足したときに、無条件にブロアファン４を駆動するようにしてもよい。また、このときの風量を、外気温度あるいは日射量に応じて変更するようにしてもよい（例えば外気温度が高いほどあるいは日射量が大きいほど、風量を大きくする）。ルーフ開閉式の車両としては、フルオープンを選択できる車両に限らず、例えばタルガトップ式の車両やサンルーフ式の車両等、ルーフの一部が開閉される形式の車両であってもよい。ルーフ開時でのエンジン自動停止時において、空調風の吹出し方向を乗員の上半身付近（特に顔付近）にのみ指向させるようにしてもよく、また乗員が運転席にのみ存在するときは、助手席側用の吹き出し口を閉じて、運転席側の吹き出し口のみを開口させるようにしてもよい。勿論、本発明の目的は、明記されたものに限らず、実質的に好ましいあるいは利点として表現されたものを提供することをも暗黙的に含むものである。
【産業上の利用可能性】
【００６１】
本発明はルーフが開閉されると共にエンジンの自動停止を行う車両の空調制御用として好適である。
【符号の説明】
【００６２】
ＵＫ：コントローラ（空調制御用）
ＥＧ：エンジン
Ｋ：空調システム
４：ブロアファン
５：エバポレータ
１０：ヒータコア
１１：エアミックスダンパ
１１Ａ：モータ（アクチュエータ）
１１Ｂ：開度センサ
１２：エアミックスダンパ
１２Ａ：モータ（アクチュエータ）
１２Ｂ：開度センサ
５０：コンプレッサ
５５：コンデンサ
６０：ウオータポンプ
【図１】
2015186961.tif 000003
【図２】
2015186961.tif 000004
【図３】
2015186961.tif 000005
【図４】
2015186961.tif 000006
【図５】
2015186961.tif 000007
【図６】
2015186961.tif 000008
【図７】
2015186961.tif 000009
【図８】
2015186961.tif 000010
【図９】
2015186961.tif 000011
【図１０】
2015186961.tif 000012
【図１１】
2015186961.tif 000013